(57)【要約】【課題】音声入力によりジョブの動作条件の設定指示を行う画像形成装置において、デフォルト値が変更されていたり、画像処理装置の状態に起因してデフォルト値を使用できない場合、ユーザーが意図したジョブの実行結果が得られないという問題を解消する。【解決手段】画像処理装置１は、ジョブの実行前に、記憶手段１１０に記憶されているデフォルト値が変更されているかどうかを判断し、変更されていると判断したときは、デフォルト値が変更された内容も含めてメッセージを音声出力装置２から出力させる。また、画像処理装置１の状態に起因してデフォルト値を使用できない場合、デフォルト値を使用できない内容も含めてメッセージを音声出力装置２から出力させる。【選択図】図６
2019198986.tif 000002
【特許請求の範囲】
【請求項１】
音声を入力可能な音声入力装置を介してユーザーの音声により行われるジョブの動作条件の設定指示を受け付ける受付手段と、
前記受付手段により受け付けられたジョブの動作条件の設定指示に従ってジョブの動作条件を設定する設定手段と、
ジョブの動作条件についての１個または複数個のデフォルト値を記憶するとともに、少なくとも何れかの前記デフォルト値が変更されたときは変更内容を記憶する記憶手段と、
前記ジョブの実行前に、前記受付手段により受け付けられたジョブの動作条件の設定指示の内容を含む音声による確認用のメッセージを、音声出力装置から出力させる制御手段と、
前記ジョブの実行前に、少なくとも何れかの前記デフォルト値が変更されているかどうかを判断する判断手段と、
を備え、
前記判断手段により前記デフォルト値が変更されていると判断されたときは、前記制御手段は、デフォルト値が変更された内容も含めて前記メッセージを前記音声出力装置から出力させることを特徴とする画像処理装置。
【請求項２】
音声を入力可能な音声入力装置を介してユーザーの音声により行われるジョブの動作条件の設定指示を受け付ける受付手段と、
前記受付手段により受け付けられたジョブの動作条件の設定指示に従ってジョブの動作条件を設定する設定手段と、
ジョブの動作条件についての１個または複数個のデフォルト値を記憶する記憶手段と、
前記ジョブの実行前に、前記受付手段により受け付けられたジョブの動作条件の設定指示の内容を含む音声による確認用のメッセージを、音声出力装置から出力させる制御手段と、
前記ジョブの実行前に、自装置の状態に起因して少なくとも何れかの前記デフォルト値を使用できない状態かどうかを判断する判断手段と、
を備え、
前記判断手段により、自装置の状態に起因して少なくとも何れかの前記デフォルト値を使用できない状態と判断されたときは、前記制御手段は、デフォルト値を使用できない内容も含めて前記メッセージを前記音声出力装置から出力させることを特徴とする画像処理装置。
【請求項３】
前記受付手段により受け付けられたジョブの動作条件の設定指示が、少なくとも何れかの前記デフォルト値を変更する設定指示である場合、前記制御手段は、デフォルト値が既に変更されていてもデフォルト値が変更された内容を含めることなく前記メッセージを前記音声出力装置から出力させる請求項１に記載の画像処理装置。
【請求項４】
前記デフォルト値が複数回に亘って変更された場合、前記記憶手段は、変更内容を上書きすることにより最新の変更内容のみを記憶する請求項１または３に記載の画像処理装置。
【請求項５】
前記音声出力手段による前記メッセージの出力後に、前記ユーザーにより、デフォルト値から変更された設定値を元のデフォルト値に変更する設定指示が音声により行われ、この設定指示に従って前記設定手段により設定値が元のデフォルト値に変更されたときは、当該ジョブについてその後に前記ユーザーによりジョブの動作条件の設定指示が行われても、前記制御手段は、デフォルト値が変更された内容を含めることなく前記メッセージを前記音声出力装置から出力させる請求項１、３または４の何れかに記載の画像処理装置。
【請求項６】
自装置の状態に起因する前記デフォルト値を使用できない状態が解除された場合、前記制御手段は、使用可能となった前記デフォルト値を反映して前記メッセージを前記音声出力装置に出力させる請求項２に記載の画像処理装置。
【請求項７】
前記デフォルト値はユーザー毎に設定され、前記記憶手段はユーザー毎に設定された前記デフォルト値を記憶する請求項１〜６の何れかに記載の画像処理装置。
【請求項８】
前記音声入力装置と前記音声出力装置の少なくとも一方は、自装置以外の外部装置により構成されている請求項１〜７の何れかに記載の画像処理装置。
【請求項９】
ジョブの動作条件についての１個または複数個のデフォルト値を記憶する記憶手段を備えた画像処理装置のコンピュータに、
音声を入力可能な音声入力装置を介してユーザーの音声により行われるジョブの動作条件の設定指示を受け付ける受付ステップと、
前記受付ステップにより受け付けられたジョブの動作条件の設定指示に従ってジョブの動作条件を設定する設定ステップと、
少なくとも何れかの前記デフォルト値が変更されたときは前記記憶手段に変更内容を記憶させる記憶ステップと、
前記ジョブの実行前に、前記受付ステップにより受け付けられたジョブの動作条件の設定指示の内容を含む確認用の第１のメッセージを、音声出力装置から音声により出力させる制御ステップと、
前記ジョブの実行前に、少なくとも何れかの前記デフォルト値が変更されているかどうかを判断する判断ステップと、
を実行させ、
前記判断ステップにより前記デフォルト値が変更されていると判断されたときは、前記制御ステップでは、デフォルト値が変更された内容も含めて前記第１のメッセージを前記音声出力装置から出力させる処理を実行させるためのプログラム。
【請求項１０】
ジョブの動作条件についての１個又は複数個のデフォルト値を記憶する記憶手段を備えた画像処理装置のコンピュータに、
音声を入力可能な音声入力装置を介してユーザーの音声により行われるジョブの動作条件の設定指示を受け付ける受付ステップと、
前記受付ステップにより受け付けられたジョブの動作条件の設定指示に従ってジョブの動作条件を設定する設定ステップと、
前記ジョブの実行前に、前記受付ステップにより受け付けられたジョブの動作条件の設定指示の内容を含む音声による確認用のメッセージを、音声出力装置から出力させる制御ステップと、
前記ジョブの実行前に、自装置の状態に起因して少なくとも何れかの前記デフォルト値を使用できない状態かどうかを判断する判断ステップと、
を実行させ、
前記判断ステップにより、自装置の状態に起因して少なくとも何れかの前記デフォルト値を使用できないと判断されたときは、前記制御ステップでは、デフォルト値を使用できない内容も含めて前記メッセージを前記音声出力装置から出力させる処理を実行させるためのプログラム。
【発明の詳細な説明】
【技術分野】
【０００１】
この発明は、複写機、プリンタあるいはＭＦＰ（Multi Function Peripheral）と称される多機能デジタル複合機等の画像処理装置、及びプログラムに関する。
【背景技術】
【０００２】
上記のような画像処理装置として、音声を入力可能なマイク等の音声入力装置を介してユーザーの音声によりジョブの動作条件の設定指示が可能な装置が、従来より知られている。
【０００３】
音声入力によりジョブの動作条件の設定指示を行う場合、動作条件の全てを指示するのではなく、一部の動作条件のみを音声入力し、音声入力されなかった動作条件についてはデフォルト値が採用されるのが通常である。
【０００４】
また、音声入力による設定指示に従って画像処理装置が動作条件を設定したときは、ジョブの実行の前に、設定指示された動作条件の内容を含む音声によるメッセージをスピーカー等の音声出力装置を介して出力し、ユーザーに確認してもらうことも行われている。例えば、「２部コピー」と音声により指示したときは「２部コピーですね？」というような音声メッセージが音声出力装置から出力される。
【先行技術文献】
【特許文献】
【０００５】
【特許文献１】特開２０１１−６６５００号公報
【特許文献２】特開２００７−１４０３７６号公報
【発明の概要】
【発明が解決しようとする課題】
【０００６】
ところで、ジョブの動作条件のデフォルト値は常に固定値であるとは限らず、例えば管理者や他のユーザーにより爾後的に変更されることがある。
【０００７】
しかし、前述したように従来では、ユーザーが設定指示しなかった動作条件についてはデフォルト値が採用され、このデフォルト値は動作条件の確認のためのメッセージには含まれないことから、ユーザーがデフォルト値が変更されていることに気づかないままジョブが実行されてしまい、ユーザーの意図した実行結果が得られず、ミスコピー等につながってしまうという問題がある。
【０００８】
また、自装置の状態に起因してデフォルト値を使用できない場合もある。例えばＡ４サイズの用紙がデフォルト値である場合に、給紙トレイにＡ４サイズの用紙が無い場合である。この場合も、ユーザーはデフォルト値を使用できないことに気付かず、他の用紙サイズでジョブが実行されてしまい、ユーザーの意図した実行結果が得られない、という問題がある。
【０００９】
なお、上記特許文献１には、画像形成動作や画像読取動作に関する設定を容易にして設定ミスを減らし、且つ不注意による設定ミスを減らすことを目的として、制御部１３が、設定記憶部１２に記憶された画像形成動作に関する設定の使用頻度を算出し、その算出した使用頻度が高い設定と異なる設定を検出した場合に、画像形成部１４が画像形成動作を実行する前に設定の確認を促す情報をアナウンス出力部１５によって外部へ出力させ、また、設定記憶部１２に記憶された画像読取動作に関する設定の使用頻度を算出し、その算出した使用頻度が高い設定と異なる設定を検出した場合に、画像読取部が画像読取動作を実行する前に設定の確認を促す情報をアナウンス出力部１５によって外部へ出力させる画像処理装置が提案されている。
【００１０】
また、上記特許文献２には、ユーザによる設定変更忘れ等による誤設定を防ぐために、設定内容に関する情報を、ユーザに対して必要な設定情報を効率的かつ網羅的に音声出力することを目的として、予め設定された複数の設定値を指示入力操作に基づいて変更する設定変更手段１０１と、前記設定変更を検出する設定変更検出手段１０２と、前記設定変更の検出結果に基づいて設定情報を音声出力する優先度を決定する音声出力優先度決定手段１０３と、前記優先度に従って設定情報を音声出力する音声出力手段１０４とを備える画像処理装置が提案されている。
【００１１】
しかしながら、これらの特許文献によっても、音声入力によりジョブの動作条件の設定指示を行う場合に、ユーザーがデフォルト値が変更されていることやデフォルト値を使用できないことに気づかないままジョブが実行されてしまい、ユーザーの意図したジョブの実行結果が得られないという上述した問題を解決することはできない。
【００１２】
この発明は、このような技術的背景に鑑みてなされたものであって、音声入力によりジョブの動作条件の設定指示を行う画像処理装置において、デフォルト値が変更されていたり、画像処理装置の状態に起因してデフォルト値を使用できない場合に、ユーザーが意図したジョブの実行結果が得られないという問題を解消できる画像処理装置及びプログラムを提供することを目的とする。
【課題を解決するための手段】
【００１３】
上記目的は、以下の手段によって達成される。
（１）音声を入力可能な音声入力装置を介してユーザーの音声により行われるジョブの動作条件の設定指示を受け付ける受付手段と、前記受付手段により受け付けられたジョブの動作条件の設定指示に従ってジョブの動作条件を設定する設定手段と、ジョブの動作条件についての１個または複数個のデフォルト値を記憶するとともに、少なくとも何れかの前記デフォルト値が変更されたときは変更内容を記憶する記憶手段と、前記ジョブの実行前に、前記受付手段により受け付けられたジョブの動作条件の設定指示の内容を含む音声による確認用のメッセージを、音声出力装置から出力させる制御手段と、前記ジョブの実行前に、少なくとも何れかの前記デフォルト値が変更されているかどうかを判断する判断手段と、を備え、前記判断手段により前記デフォルト値が変更されていると判断されたときは、前記制御手段は、デフォルト値が変更された内容も含めて前記メッセージを前記音声出力装置から出力させることを特徴とする画像処理装置。
（２）音声を入力可能な音声入力装置を介してユーザーの音声により行われるジョブの動作条件の設定指示を受け付ける受付手段と、前記受付手段により受け付けられたジョブの動作条件の設定指示に従ってジョブの動作条件を設定する設定手段と、ジョブの動作条件についての１個または複数個のデフォルト値を記憶する記憶手段と、前記ジョブの実行前に、前記受付手段により受け付けられたジョブの動作条件の設定指示の内容を含む音声による確認用のメッセージを、音声出力装置から出力させる制御手段と、前記ジョブの実行前に、自装置の状態に起因して少なくとも何れかの前記デフォルト値を使用できない状態かどうかを判断する判断手段と、を備え、前記判断手段により、自装置の状態に起因して少なくとも何れかの前記デフォルト値を使用できない状態と判断されたときは、前記制御手段は、デフォルト値を使用できない内容も含めて前記メッセージを前記音声出力装置から出力させることを特徴とする画像処理装置。
（３）前記受付手段により受け付けられたジョブの動作条件の設定指示が、少なくとも何れかの前記デフォルト値を変更する設定指示である場合、前記制御手段は、デフォルト値が既に変更されていてもデフォルト値が変更された内容を含めることなく前記メッセージを前記音声出力装置から出力させる前項１に記載の画像処理装置。
（４）前記デフォルト値が複数回に亘って変更された場合、前記記憶手段は、変更内容を上書きすることにより最新の変更内容のみを記憶する前項１または３に記載の画像処理装置。
（５）前記音声出力手段による前記メッセージの出力後に、前記ユーザーにより、デフォルト値から変更された設定値を元のデフォルト値に変更する設定指示が音声により行われ、この設定指示に従って前記設定手段により設定値が元のデフォルト値に変更されたときは、当該ジョブについてその後に前記ユーザーによりジョブの動作条件の設定指示が行われても、前記制御手段は、デフォルト値が変更された内容を含めることなく前記メッセージを前記音声出力装置から出力させる前項１、３または４の何れかに記載の画像処理装置。
（６）自装置の状態に起因する前記デフォルト値を使用できない状態が解除された場合、前記制御手段は、使用可能となった前記デフォルト値を反映して前記メッセージを前記音声出力装置に出力させる前項２に記載の画像処理装置。
（７）前記デフォルト値はユーザー毎に設定され、前記記憶手段はユーザー毎に設定された前記デフォルト値を記憶する前項１〜６の何れかに記載の画像処理装置。
（８）前記音声入力装置と前記音声出力装置の少なくとも一方は、自装置以外の外部装置により構成されている前項１〜７の何れかに記載の画像処理装置。
（９）ジョブの動作条件についての１個または複数個のデフォルト値を記憶する記憶手段を備えた画像処理装置のコンピュータに、音声を入力可能な音声入力装置を介してユーザーの音声により行われるジョブの動作条件の設定指示を受け付ける受付ステップと、前記受付ステップにより受け付けられたジョブの動作条件の設定指示に従ってジョブの動作条件を設定する設定ステップと、少なくとも何れかの前記デフォルト値が変更されたときは前記記憶手段に変更内容を記憶させる記憶ステップと、前記ジョブの実行前に、前記受付ステップにより受け付けられたジョブの動作条件の設定指示の内容を含む確認用の第１のメッセージを、音声出力装置から音声により出力させる制御ステップと、前記ジョブの実行前に、少なくとも何れかの前記デフォルト値が変更されているかどうかを判断する判断ステップと、を実行させ、前記判断ステップにより前記デフォルト値が変更されていると判断されたときは、前記制御ステップでは、デフォルト値が変更された内容も含めて前記第１のメッセージを前記音声出力装置から出力させる処理を実行させるためのプログラム。
（１１）ジョブの動作条件についての１個又は複数個のデフォルト値を記憶する記憶手段を備えた画像処理装置のコンピュータに、音声を入力可能な音声入力装置を介してユーザーの音声により行われるジョブの動作条件の設定指示を受け付ける受付ステップと、前記受付ステップにより受け付けられたジョブの動作条件の設定指示に従ってジョブの動作条件を設定する設定ステップと、前記ジョブの実行前に、前記受付ステップにより受け付けられたジョブの動作条件の設定指示の内容を含む音声による確認用のメッセージを、音声出力装置から出力させる制御ステップと、前記ジョブの実行前に、自装置の状態に起因して少なくとも何れかの前記デフォルト値を使用できない状態かどうかを判断する判断ステップと、を実行させ、前記判断ステップにより、自装置の状態に起因して少なくとも何れかの前記デフォルト値を使用できないと判断されたときは、前記制御ステップでは、デフォルト値を使用できない内容も含めて前記メッセージを前記音声出力装置から出力させる処理を実行させるためのプログラム。
【発明の効果】
【００１４】
前項（１）に記載の発明によれば、音声を入力可能な音声入力装置を介してユーザーが音声によりジョブの動作条件の設定指示を行うと、これが受け付けられるとともに、受け付けられたジョブの動作条件の設定指示に従ってジョブの動作条件が設定される。また、ジョブの実行前に、受け付けられたジョブの動作条件の設定指示の内容を含む音声による確認用のメッセージが、音声出力装置から出力される。また、記憶手段にはジョブの動作条件についての１個または複数個のデフォルト値が記憶されており、少なくとも何れかのデフォルト値が変更されたときは変更内容も記憶手段に記憶される。
【００１５】
そしてジョブの実行前に、デフォルト値が変更されているかどうかが判断され、変更されていると判断されたときは、デフォルト値が変更された内容も含めてメッセージが音声出力装置から出力される。
【００１６】
このように、デフォルト値が変更されているときは、デフォルト値が変更された内容も含めてメッセージが音声により出力されるから、ユーザーはデフォルト値が変更されていることを認識することができる。従って、ユーザーは変更後の設定値が意図した値でなければ、この設定値を再度変更することができるから、ユーザーがデフォルト値の変更に気づかないままジョブが実行されてしまい、意図したジョブの実行結果が得られないという不都合を解消することができる。
【００１７】
前項（２）に記載の発明によれば、自装置の状態に起因してデフォルト値を使用できない場合、デフォルト値を使用できない内容も含めてメッセージが音声出力装置から出力されるから、例えば給紙トレイにデフォルト値であるＡ４サイズの用紙がなくなっていてＡ４サイズの用紙を使用できないような場合に、ユーザーはそのことを認識することができ、デフォルト値を使用できない状態を解消するための措置を講ずることができる。その結果、ユーザーが意図したジョブの実行結果が得られないという不都合を解消することができる。
【００１８】
前項（３）に記載の発明によれば、受け付けられたジョブの動作条件の設定指示が、少なくとも何れかのデフォルト値を変更する設定指示である場合、デフォルト値が既に変更されていても、デフォルト値が変更された内容を含めることなくメッセージが出力される。これによりユーザーへの無駄な通知を避けることができる。
【００１９】
前項（４）に記載の発明によれば、デフォルト値が複数回に亘って変更された場合、変更内容を上書きすることにより最新の変更内容のみが記憶手段に記憶されるから、全ての変更内容が記憶される場合に較べ記憶手段における記憶領域の使用量が少なくて済む。
【００２０】
前項（５）に記載の発明によれば、音声出力手段による前記第１のメッセージの出力後に、前記ユーザーにより、デフォルト値から変更された設定値を元のデフォルト値に変更する設定指示が音声により行われ、この設定指示に従って前記設定手段により設定値が元のデフォルト値に変更されたときは、ユーザーの意思によってデフォルト値が変更されたから、当該ジョブについて前記ユーザーによりジョブの動作条件の設定指示が行われても、デフォルト値が変更された内容を含めることなくメッセージの出力が行われる。これによりユーザーへの無駄な通知を避けることができる。
【００２１】
前項（６）に記載の発明によれば、自装置の状態に起因する前記デフォルト値を使用できない状態が解除された場合、使用可能となったデフォルト値が反映されたメッセージが音声出力装置から出力されるから、ユーザーはデフォルト値が使用可能になったことを認識できる。
【００２２】
前項（７）に記載の発明によれば、ユーザー毎にデフォルト値が記憶されるとともにデフォルト値が変更されているかどうかがユーザー毎に判断され、メッセージを音声で出力させるかどうかもユーザー毎に相違するから、ユーザーに応じた利用形態が可能となる。
【００２３】
前項（８）に記載の発明によれば、音声入力装置と前記音声出力装置の少なくとも一方を、自装置以外の外部装置により構成することができる。
【００２４】
前項（９）に記載の発明によれば、音声を入力可能な音声入力装置を介してユーザーの音声により行われるジョブの動作条件の設定指示を受け付け、設定指示に従ってジョブの動作条件を設定し、少なくとも何れかのデフォルト値が変更されているかどうかを判断し、変更されていると判断されたときは、デフォルト値が変更された内容も含めてメッセージを音声出力装置から出力させる処理を、画像処理装置のコンピュータに実行させることができる。
【００２５】
前項（１０）に記載の発明によれば、音声を入力可能な音声入力装置を介してユーザーの音声により行われるジョブの動作条件の設定指示を受け付け、設定指示に従ってジョブの動作条件を設定し、自装置の状態に起因して少なくとも何れかのデフォルト値を使用できない状態かどうかを判断し、使用できない状態と判断されたときは、デフォルト値を使用できない内容も含めてメッセージを音声出力装置から出力させる処理を、画像処理装置のコンピュータに実行させることができる。
【図面の簡単な説明】
【００２６】
【図１】この発明の一実施形態に係る画像処理装置が用いられた画像処理システムの構成図である。
【図２】図１に示した画像処理システムにおける画像処理装置と音声端末装置の構成を示すブロック図である。
【図３】画像処理装置の記憶装置に、ジョブ及びそのジョブの動作条件に関するデフォルト値が記憶されている状態を説明するための説明図図である。
【図４】図３に示したデフォルト値が変更された状態を説明するための説明図である。
【図５】ユーザーが、デフォルト値が変更されていることを知らないまま、音声入力により動作条件の設定指示を行った場合の説明図である。
【図６】確認用メッセージが発話された状態の説明図である。
【図７】図６のメッセージを聞いたユーザーが再度の設定指示を音声入力により行った状態の説明図である。
【図８】再度の確認用メッセージが発話された状態の説明図である。
【図９】ジョブの実行を指示する音声入力が行われた状態の説明図である。
【図１０】画像処理装置によるデフォルト値の記憶処理を示すフローチャートである。
【図１１】ユーザーの音声によるジョブの動作条件の設定指示を受けた画像処理装置の動作を示すフローチャートである。
【図１２】この発明の他の実施形態を説明するための図で、コピージョブの用紙サイズのデフォルト値であるＡ４用紙は残量がゼロであることを示す図である。
【図１３】確認用メッセージが発話された状態の説明図である。
【図１４】再度の確認用メッセージが発話された状態の説明図である。
【図１５】ジョブの実行を指示する音声入力が行われた状態の説明図である。
【図１６】画像処理装置によるデフォルト値の記憶処理を示すフローチャートである。
【図１７】ユーザーの音声によるジョブの動作条件の設定指示を受けた画像処理装置の動作を示すフローチャートである。
【発明を実施するための形態】
【００２７】
以下、この発明の実施形態を図面に基づいて説明する。
【００２８】
図１は、この発明の一実施形態に係る画像処理装置としての画像形成装置１が用いられた画像処理システムの構成図である。この画像処理システムは、画像形成装置１の他に音声端末装置２を備えており、これらの画像形成装置１と音声端末装置２がネットワーク３を介して相互に接続されている。
【００２９】
図２は、図１に示した画像処理システムにおける画像形成装置１と音声端末装置２の構成を示すブロック図である。この実施形態では、画像形成装置１として、コピー機能、プリンタ機能、ファクシミリ機能、スキャン機能等を備えた多機能デジタル複合機である前述したＭＦＰが用いられている。以下、画像形成装置をＭＦＰともいう。
【００３０】
図２に示すように、ＭＦＰ１は、制御部１００、記憶装置１１０、画像読取装置１２０、操作パネル１３０、画像出力装置１４０、プリンタコントローラ１５０及びネットワークインターフェイス（ネットワークＩ/Ｆ）１６０、無線通信インターフェース（無線通信Ｉ／Ｆ）１７０、認証部１８０等を備え、互いにシステムバス１７５を介して接続されている。
【００３１】
制御部１００は、ＣＰＵ（Central Processing Unit）１０１、ＲＯＭ（Read Only Memory）１０２、Ｓ−ＲＡＭ（Static Random Access Memory）１０３、ＮＶ−ＲＡＭ（Non Volatile RAM）１０４及び時計ＩＣ１０５等を備えている。
【００３２】
ＣＰＵ１０１は、ＲＯＭ１０２等に保存されている動作プログラムを実行することにより、ＭＦＰ１の全体を統括的に制御する。例えばコピー機能、プリンタ機能、スキャン機能、ファクシミリ機能等を実行可能に制御する。更にこの実施形態では、音声端末装置２から入力されたユーザーの音声入力データをネットワークインターフェース１６０を介して受け付けると共に、この音声入力データを解析することにより、ユーザーによって設定指示されたジョブの動作条件である設定値を設定したり、設定が正しいかどうかをジョブの実行前にユーザーに確認させるためのメッセージを音声端末装置２から出力させるための音声出力データをネットワークインターフェース１６０を介して音声端末装置２に送信したり、ジョブの動作条件のデフォルト値が変更されているかどうかを判断したり、判断結果に基づいてメッセージの内容を変更する等の処理を行うが、詳細は後述する。
【００３３】
ＲＯＭ１０２は、ＣＰＵ１０１が実行するプログラムやその他のデータを格納する。
【００３４】
Ｓ−ＲＡＭ１０３は、ＣＰＵ１０１がプログラムを実行する際の作業領域となるものであり、プログラムやプログラムを実行する際のデータ等を一時的に保存する。
【００３５】
ＮＶ−ＲＡＭ１０４は、バッテリでバックアップされた不揮発メモリであり、画像形成に係わる各種の設定等を記憶するものである。
【００３６】
時計ＩＣ１０５は、時刻を計時すると共に、内部タイマーとして機能し処理時間の計測等を行う。
【００３７】
記憶装置１１０は、ハードディスク等からなり、プログラムや各種データ等を保存する。特にこの実施形態では、コピージョブ、プリントジョブ、ファクシミリ送信ジョブ、スキャンジョブ等の各種のジョブを実行するための動作条件のデフォルト値等が記憶されている。また、記憶装置１１０には、デフォルト値が他の設定値に変更されたときや、変更後の設定値がさらに変更されたときは、変更後の設定値を含む変更内容が記憶されるが、この実施形態では、最新の設定値を含む最新の変更内容に上書きされることにより、最新の変更内容のみが保持されるようになっている。
【００３８】
画像読取装置１２０は、スキャナ等を備え、プラテンガラス上にセットされた原稿を走査することによって読み取り、読み取った原稿を画像データに変換する。
【００３９】
操作パネル１３０は、ユーザーがＭＦＰ１へジョブ等の指示や各種設定を行う際に用いられるものであり、リセットキー１３１、スタートキー１３２、ストップキー１３３、表示部１３４及びタッチパネル１３５等を備えている。
【００４０】
リセットキー１３１は、設定をリセットする際に使用されるものであり、スタートキー１３２はスキャン等の開始操作に使用されるものであり、ストップキー１３３は動作を中断する場合等に押下されるものである。
【００４１】
表示部１３４は、例えば液晶表示装置からなりメッセージや各種の操作画面等を表示するものであり、タッチパネル１３５は表示部１３４の画面上に形成され、ユーザーのタッチ操作を検出する。
【００４２】
画像出力装置１４０は、画像読取装置１２０で読み取られた原稿の画像データや、端末装置３から送信されたプリントデータから生成された複写画像を用紙上に印字し印刷物として出力するものである。
【００４３】
プリンタコントローラ１５０は、ネットワークインターフェース１６０によって受信されたプリントデータから複写画像を生成するものである。
【００４４】
ネットワークＩ/Ｆ１６０は、前述した音声端末装置２等の外部装置との間でネットワーク３を介してデータの送受信を行う通信手段として機能し、無線通信Ｉ／Ｆ１７０は近距離無線通信により外部装置と通信を行うためのインターフェースである。
【００４５】
認証部１８０はログインするユーザーの認証用情報を取得し、この認証用情報を予め固定記憶装置１１０等に保存されている照合用の情報と比較照合して認証を行うものである。なお、ユーザーの認証用情報と照合用の情報との比較照合は、外部の認証サーバーにより行い、認証部１８０が認証サーバーから認証結果を受信することにより認証が行われても良い。
【００４６】
音声端末装置２は音声入力装置として機能するマイク部２１と、音声出力装置として機能するスピーカー部２２を備えている。マイク部２１は、入力された音声データをネットワーク３を介してＭＦＰ１に送信し、スピーカー部２２はＭＦＰ１からネットワーク３を介して送信されてきた音声データを音声として出力（発話）させる。
【００４７】
なお、音声端末装置２のマイク部２１に入力されたユーザーの音声は、ＭＦＰ１で解析されるものとしたが、図示しない解析サーバー等の外部装置でキーワード等に解析されて、ＭＦＰ１は解析サーバーから解析結果のデータを受信して受け付ける構成としても良い。
［第１の実施形態］
次に、この発明の第１の実施形態として、ユーザーが音声端末装置２を介して音声によりＭＦＰ１に対してジョブの実行を指示する時のＭＦＰ１の動作を説明する。
【００４８】
図３のテーブルＴ１に示すように、ＭＦＰ１の記憶装置１１０には、例えば管理者等により、ジョブ及びそのジョブの動作条件に関して予めデフォルト値が記憶されている。図３の例では、デェフォルトのジョブとしてコピージョブが設定されている。従って、ユーザーが音声によりジョブの種類を指定しなければ、コピージョブが実行されることになる。
【００４９】
また、コピージョブの動作条件のデフォルト値として、例えば、用紙サイズ：Ａ４、部数:１、カラーモード：カラー、出力：両面、ステープル（の位置）:左上、が予め設定されている。
【００５０】
この状態で、管理者や他のユーザーにより、上記１個又は複数個のデフォルト値のうち、少なくとも１個のデフォルト値が変更されあるいは変更後の設定値がさらに他の設定値に更に変更されることがある。この場合、図４のテーブルＴ１に示すように、デフォルト値が変更後の設定値で上書きされ、さらにテーブルＴ２に示すように、変更された日時、変更者、変更内容が記憶される。図４に示す例では、用紙サイズがデフォルト値であるＡ４からＡ３に変更され、出力がデフォルト値である両面から片面に変更されている。これにより、制御部１００のＣＰＵ１０１は、デフォルト値であるＡ４サイズが現在Ａ３サイズに変更されていることを認識できる。
【００５１】
なお、同じユーザーあるいは他のユーザーにより、例えば用紙サイズが変更後の設定値であるＡ３からさらにＢ４に変更された場合、図４のテーブルＴ１の用紙サイズの項目がＢ４に上書きされると共に、テーブルＴ２の上段の欄における日付、変更者が上書きされ、さらに変更内容の項目において「Ａ４→Ｂ４」に上書きされる。
【００５２】
このように、デフォルト値が複数回に亘って変更された場合には、変更内容が上書きされることにより、最新の変更内容のみが記憶装置１１０に記憶保持されるから、全ての変更内容が記憶される場合に較べ記憶装置１１０における記憶領域の使用量を可及的に少なくすることができる。
【００５３】
その後、別のユーザーがコピージョブを実行する際に、デフォルト値が変更されていることを知らないまま、図５に示すように、音声端末装置２のマイク部２１を介して音声入力により「２部コピー」と動作条件の設定指示を行ったとする。
【００５４】
従来では、ＭＦＰ１は例えば「２部コピーしていいですか？」といった確認用のメッセージを音声端末装置２のスピーカー部２２を介して音声出力するが、デフォルト値が変更されていることはユーザーに通知されない。このため、ユーザーが確認用のメッセージに対して、「はい」というようなジョブの実行を指示する音声入力を行うと、コピージョブが開始されるが、自身が指示した設定以外はデフォルト値でのコピーを期待したユーザーにとっては、デフォルト値とは異なる設定値でコピージョブが実行されてしまい、ミスコピー等が発生してしまう。
【００５５】
そこで、この実施形態では、デフォルト値が変更されているときはコピージョブの実行前に、ユーザーによって音声入力された設定指示の内容とともにデフォルト値が変更された内容をも含む確認用のメッセージを、音声端末装置２のスピーカー部２２から音声出力してユーザーに通知する。
【００５６】
確認用メッセージの一例として、図６に示すように、「以前用紙サイズ／出力のデフォルトが変更されました。こちらは、２部、Ａ３、片面でコピーしてもよろしいですか？」を挙げることができる。
【００５７】
このメッセージを聞いたユーザーがデフォルト値の変更に気付き、例えば図７に示す「いいえ、Ａ４，両面にして」というような再度の設定指示を音声入力すると、ＭＦＰ１はその設定指示を受け付けて設定へ反映させる。そして、反映された設定内容の再度の確認のために、図８に示すように、「はい、Ａ４、２部、両面でコピーですね？」というような確認用のメッセージを、音声端末装置２のスピーカー部２２から音声出力させる。
【００５８】
このメッセージを受けたユーザーは、メッセージ通りの設定内容で良ければ図９に示す「はい」というようなジョブの実行を指示する音声入力を行う。ＭＦＰ１はこの音声入力を受け付け、ユーザーによる最終確認が得られたものとして、コピージョブを開始する。
【００５９】
このようにこの実施形態では、デフォルト値が変更されているときは、デフォルト値が変更された内容も含めて確認用のメッセージが音声により出力されるから、ユーザーはデフォルト値が変更されていることを認識することができる。従って、ユーザーは変更後の設定値が意図した値でなければ、この設定値を再度変更することができるから、ユーザーがデフォルト値の変更に気づかないままコピージョブが実行されてしまい、コピーミスとなってしまうという不都合を解消することができる。
【００６０】
なお、ユーザーがデフォルト値を変更する設定指示を行った場合は、デフォルト値が既に変更されていても、デフォルト値が変更された内容を含めることなく、ユーザーの設定指示の内容のみを含むメッセージが、音声端末装置２から出力される。例えば、用紙サイズのデフォルト値がＡ４であるとして、管理者や他のユーザー等がデフォルト値をＡ３に変更した後に、ユーザーが音声入力によりＢ４サイズを設定指示しても、デフォルト値がＡ４からＡ３に変更されていることは通知されない。このような通知は無駄であるためである。
【００６１】
図１０は、ＭＦＰ１によるデフォルト値の記憶処理を示すフローチャートである。このフローチャート及び図１１以降のフローチャートに示される動作は、ＭＦＰ１の制御部１００におけるＣＰＵ１０１がＲＯＭ１０２等の記録媒体に記録された動作プログラムに従って動作することにより実行される。
【００６２】
ステップＳ０１で、管理者等の操作に従いデフォルト値を記憶装置１１０に記憶する。デフォルト値が変更されたときは、ステップＳ０２で変更内容を記憶する。
【００６３】
図１１は、上述したようなユーザーの音声によるジョブの動作条件の設定指示を受けたＭＦＰ１の動作を示すフローチャートである。
【００６４】
ステップＳ１１で、音声端末装置２のマイク部２１を介して、ユーザーによる音声入力データを受信したかどうかを判断する。受信していなければ（ステップＳ１１でＮＯ）、受信するまで待つ。
【００６５】
受信すると（ステップＳ１１でＹＥＳ）、ステップＳ１２でこれを受け付けて解析し、ステップＳ１３で、例えば「はい」「ＯＫ」等のジョブの実行を許可する音声入力かどうかを判断する。ジョブの実行を許可する音声入力でなければ（ステップＳ１３でＮＯ）、動作条件の設定指示であるから、ステップＳ１４で、音声入力に対応する動作条件（設定値）を設定する。
【００６６】
次いで、ステップＳ１５で、デフォルト値は変更されているかどうかを判断する。変更されていれば（ステップＳ１５でＹＥＳ）、ステップＳ１６で、入力された設定指示内容と共に、デフォルト値が変更された内容を含むメッセージの音声出力用データを作成し、音声端末装置２に送信したのち、ステップＳ０１に戻る。
【００６７】
音声端末装置２は音声出力用データをスピーカー部２２を介して音声出力する。例えば、音声入力が「２部コピー」の場合において、用紙サイズがデフォルト値のＡ４からＡ３に変更され、デフォルト値である両面出力が片面出力に変更されていたときは、「以前用紙サイズ／出力のデフォルトが変更されました。こちらは、２部、Ａ３、片面でコピーしてもよろしいですか？」といったような確認メッセージが発話される。
【００６８】
メッセージを聞いたユーザーが、自身の意図と違う設定であれば、例えば「いいえ、Ａ４，両面にして」と入力すると、ＭＦＰ１はステップＳ１１でその音声データを受信し、ステップＳ１２での受付・解析、ステップＳ１３の判断を経てステップＳ１４で、用紙サイズ及び出力に関してＡ４，両面出力の設定に変更する。
【００６９】
次いでステップＳ１５で、デフォルト値が変更されているかどうかを判断するが、１回目の音声入力に対してデフォルト値が変更されていることを既に通知しているから、２回目以降ついてはこの変更を無視し、ステップＳ６で、入力された設定指示内容のみを含むメッセージの音声出力用データを音声端末装置２に送信する。これにより、音声端末装置２のスピーカー部２２から、「はい、Ａ４、２部、両面でコピーですね？」というような確認用のメッセージが発話される。
【００７０】
通知された動作条件で良ければ、ユーザーは「はい」「ＯＫ」等のジョブの実行を許可する音声入力を行う。ＭＦＰ１はステップＳ１１でその音声データを受信し、ステップＳ１２で受付・解析し、ステップＳ１３で、ジョブの実行を許可する音声入力かどうかを判断する。ジョブの実行を許可する音声入力であれば（ステップＳ１３でＹＥＳ）、ステップＳ１８に進み、ジョブを開始する。
【００７１】
ステップＳ１５において、デフォルト値が変更されていなければ（ステップＳ１５でＮＯ）、ステップＳ１７で、入力された設定指示内容のみを含むメッセージ（例えば「２部コピー」の音声入力に対して「２部コピーしていいですか？」）の音声出力用データを作成し、音声端末装置２に送信する。
【００７２】
また、ユーザーがデフォルト値を変更する設定指示を行った場合は、ステップＳ１５でデフォルト値が変更されていると判断されても、デフォルト値が変更された内容を含めることなく、ユーザーの設定指示の内容のみを含むメッセージが、音声端末装置２から出力される。これによって無駄な通知をなくすことができる。
［第２の実施形態］
次に、この発明の第２の実施形態を説明する。この実施形態は、ＭＦＰ１が自装置状態に起因して少なくとも何れかのデフォルト値を使用できない状態であるときに、デフォルト値を使用できない内容も含めてメッセージを音声端末装置２から出力させるものである。
【００７３】
具体例を説明すると、ＭＦＰ１の記憶装置１１０には、例えば管理者等により、ジョブ及びそのジョブの動作条件に関して予めデフォルト値が記憶されている。この例では、図３のテーブルＴ１の場合と同様に、デェフォルトのジョブとしてコピージョブが設定されており、さらにコピージョブの動作条件のデフォルト値として、例えば、用紙サイズ：Ａ４、部数:１、カラーモード：カラー、出力：両面、ステープル（の位置）:左上、が予め設定されている。
【００７４】
ここで、ＭＦＰ１の状態に起因して予め設定された上記１個又は複数個のデフォルト値のうち、少なくとも１個のデフォルト値を使用できない場合がある。例えば、用紙サイズのデフォルト値がＡ４である場合に、給紙トレイ内のＡ４用紙が無くなった場合や、他のサイズの用紙が収容されている場合である。また、各色のトナーの内、少なくとも何れかのトナーが無くなった場合や、後処理装置において用紙の左上へのステープル処理がデフォルト値である場合に、ステープルが無くなった場合等である。以後、給紙トレイ内のＡ４用紙が無くなった場合を例にして説明する。
【００７５】
図１２は、用紙サイズがＡ４、Ａ３、Ｂ４の３個の給紙トレイの用紙残量を黒塗り部分の高さで示しており、コピージョブの用紙サイズのデフォルト値であるＡ４用紙は残量がゼロであることを示している。
【００７６】
この状態で、ユーザーがコピージョブの実行に際してＡ４用紙が無いことを知らないまま、図５の場合と同様に、音声端末装置２のマイク部２１を介して音声入力により「２部コピー」と動作条件の設定指示を行ったとする。
【００７７】
従来では、ＭＦＰ１は例えば「２部コピーしていいですか？」といった確認用のメッセージを音声端末装置２のスピーカー部２２を介して音声出力するが、デフォルト値であるＡ４用紙を使用できないことはユーザーに通知されない。このため、ユーザーが確認用のメッセージに対して、「はい」というようなジョブの実行を指示する音声入力を行うと、コピージョブが開始されるが、自身が指示した設定以外はデフォルト値でのコピーを期待したユーザーにとっては、デフォルト値とは異なる設定値例えばＡ３用紙でコピージョブが実行されてしまい、ミスコピー等が発生してしまう。
【００７８】
そこで、この実施形態では、デフォルト値を使用できないときはコピージョブの実行前に、ユーザーによって音声入力された設定指示の内容とともにデフォルト値を使用できないこと、つまりこの例ではＡ４用紙を使用できない内容も含めて、確認用のメッセージを音声端末装置２のスピーカー部２２から音声出力してユーザーに通知する。
【００７９】
確認用メッセージの一例として、図１３に示すように、「Ａ４の用紙が無くなっています。このまま２部、Ａ３でコピーしていいですか？」を挙げることができる。
【００８０】
このメッセージを聞いたユーザーがデフォルト値であるＡ４用紙を使用できないことに気付き、Ａ４用紙を給紙トレイに補給したとする。すると、ＭＦＰ１は用紙を使用可能になったことを判断し、入力された設定指示内容（２部コピー）とともに、使用可能となったデフォルト値（Ａ４）を反映したメッセージ、例えば図１４に示すような「Ａ４、２部でいいですか？」というようメッセージを音声端末装置２を介して音声出力する。
【００８１】
このメッセージを受けたユーザーは、メッセージ通りの設定内容で良ければ図１５に示す「はい」というようなジョブの実行を指示する音声入力を行う。ＭＦＰ１はこの音声入力を受け付け、ユーザーによる最終確認が得られたものとして、コピージョブを開始する。
【００８２】
このようにこの実施形態では、ＭＦＰ１の状態に起因してデフォルト値を使用できないときは、デフォルト値を使用できない内容も含めて確認用のメッセージが音声により出力されるから、ユーザーはデフォルト値を使用できないことを認識することができ、デフォルト値を使用できない状態を解消するための用紙補給等の措置を講ずることができる。その結果、ユーザーが意図したジョブの実行結果が得られないという不都合を解消することができる。
【００８３】
図１６は、ＭＦＰ１によるデフォルト値の記憶処理を示すフローチャートである。
【００８４】
ステップＳ２１で、管理者等の操作に従いデフォルト値を記憶装置１１０に記憶する。ステップＳ２１では、自装置の状態に起因してデフォルト値を使用できなくなったことを記憶する。
【００８５】
図１７は、ユーザーの音声によるジョブの動作条件の設定指示を受けたＭＦＰ１の動作を示すフローチャートである。
【００８６】
ステップＳ３１で、音声端末装置２のマイク部２１を介して、ユーザーによる音声入力データを受信したかどうかを判断する。受信していなければ（ステップＳ３１でＮＯ）、受信するまで待つ。
【００８７】
受信すると（ステップＳ３１でＹＥＳ）、ステップＳ３２でこれを受け付けて解析し、ステップＳ３３で、例えば「はい」「ＯＫ」等のジョブの実行を許可する音声入力かどうかを判断する。ジョブの実行を許可する音声入力でなければ（ステップＳ３３でＮＯ）、動作条件の設定指示であるから、ステップＳ３４で、音声入力に対応する動作条件（設定値）を設定する。
【００８８】
次いで、ステップＳ３５で、自装置の状態に起因してデフォルト値を使用できないかどうかを判断する。使用できなければ（ステップＳ３５でＹＥＳ）、ステップＳ３６で、入力された設定指示内容と共に、デフォルト値を使用できない内容を含むメッセージの音声出力用データを作成し、音声端末装置２に送信する。メッセージは例えば「「Ａ４の用紙が無くなっています。このまま２部、Ａ３でコピーしていいですか？」である。
【００８９】
次いでステップＳ３７で、デフォルト値が使用可能になったかどうかを判断し、使用可能にならなければ（ステップＳ３７でＮＯ）、ステップＳ３１に戻る。ステップＳ３６のメッセージを聞いたユーザーがデフォルト値を使用できないことに気付き、用紙補給等、使用できなくなっている原因を解消すると、デフォルト値が使用可能になる（ステップＳ３７でＹＥＳ）。この場合は、ステップＳ３８で、入力された設定指示内容と共に使用可能になったデフォルト値を反映したメッセージの音声出力用データを音声端末装置２に送信したのち、ステップＳ３１に戻る。メッセージは例えば「Ａ４、２部でいいですか？」である。
【００９０】
メッセージを聞いたユーザーが、通知された動作条件で良ければ、ユーザーは「はい」「ＯＫ」等のジョブの実行を許可する音声入力を行う。ＭＦＰ１はステップＳ３１でその音声データを受信し、ステップＳ３２で受付・解析し、ステップＳ３３で、ジョブの実行を許可する音声入力かどうかを判断する。ジョブの実行を許可する音声入力であれば（ステップＳ３３でＹＥＳ）、ステップＳ３９に進み、ジョブを開始する。
【００９１】
ステップＳ３５において、デフォルト値を使用可能であれば（ステップＳ３５でＮＯ）、ステップＳ４０で、入力された設定指示内容のみを含むメッセージ（例えば「２部コピー」の音声入力に対して「２部コピーしていいですか？」の音声出力用データを作成し、音声端末装置２に送信する。
【００９２】
以上、本発明の第１、第２の実施形態を説明したが、本発明は上記実施形態に限定されることはない。
【００９３】
例えば、上記の各実施形態では、全てのユーザーに共通のデフォルト値が設定され記憶装置１１０に記憶されている場合を示したが、ユーザー毎にデフォルト値を設定しても良い。この場合は、認証部１８０によって認証を受けてログインしたユーザーに対応するデフォルト値が適用され、デフォルト値が変更されたかどうかや、ＭＦＰ１の状態に起因してデフォルト値を使用できない状態かどうかの判断も、ログインしたユーザーに応じて判断される。
【００９４】
また、音声端末装置２がＭＦＰ１とは別の外部装置により構成されている例を示したが、音声端末装置２のマイク部２１またはスピーカー部２２の少なくとも一方は、ＭＦＰ１に備えられていても良い。
【００９５】
また、画像処理装置がＭＦＰである場合を示したが、ユーザーの音声による設定指示によって動作条件を設定できるものであれば他の画像処理装置であっても良い。
【符号の説明】
【００９６】
１  画像処理装置
２  音声端末装置
３  ネットワーク
２１  マイク部２１
２２  スピーカー部
１００  制御部
１０１  ＣＰＵ
１０２  ＲＯＭ
１０３  ＲＡＭ
１１０  記憶装置
１４０  画像出力装置
１６０  ネットワークインターフェース
【図１】
2019198986.tif 000003
【図２】
2019198986.tif 000004
【図３】
2019198986.tif 000005
【図４】
2019198986.tif 000006
【図５】
2019198986.tif 000007
【図６】
2019198986.tif 000008
【図７】
2019198986.tif 000009
【図８】
2019198986.tif 000010
【図９】
2019198986.tif 000011
【図１０】
2019198986.tif 000012
【図１１】
2019198986.tif 000013
【図１２】
2019198986.tif 000014
【図１３】
2019198986.tif 000015
【図１４】
2019198986.tif 000016
【図１５】
2019198986.tif 000017
【図１６】
2019198986.tif 000018
【図１７】
2019198986.tif 000019